(57)【特許請求の範囲】
【請求項１】
内部に中空部が形成された住宅の外壁の内面に、屋根の端部が取り付けられ、
前記外壁の内面に、前記屋根の下側に位置する屋根裏と前記中空部とを連通させる連通孔が設けられ、
前記外壁の外面にほぼ水平方向に延在し、かつ前記連通孔よりも高い位置で、前記中空部と連通して前記外壁の外部に開口するスリットが設けられ、
前記外壁の外面に、該外壁の上下方向に沿って複数の胴縁が互いに平行に所定間隔を空けて、前記スリットを塞がないように配設され、
これら胴縁の上端部は前記スリットより高く配置されているとともに、これら胴縁には、面材が、その上端部を前記スリットの位置より高く、かつ前記胴縁の上端部の位置より低くして取り付けられており、
前記面材にフードが、前記スリットの延在方向に沿って、前記胴縁の上端部と前記面材の上端部とを覆うように設けられ、このフードは、下方に向かって漸次外側に突出してなり、下部に開口部が設けられており、
さらに、前記フードは、前記胴縁間の開口を上方から覆うカバー部と、このカバー部に覆われ、前記カバー部に該カバー部の上下部で固定されるブラケットと、このブラケットを左右両端部で固定して前記面材に取り付けるブラケット固定部材とを有すること、を特徴とする屋根の換気構造。
【請求項２】
前記連通孔は、前記外壁の内面において前記屋根が取り付けられている位置の直下に設けられていること、
を特徴とする請求項１記載の屋根の換気構造。
【請求項３】
前記外壁および屋根のうち少なくとも一方がパネルで構成されてなること、
を特徴とする請求項１または２に記載の屋根の換気構造。
【発明の詳細な説明】
【０００１】
【発明の属する技術分野】
本発明は、屋根の換気構造に関し、主に、寒冷地などで構築される無落雪屋根の換気構造に関するものである。
【０００２】
【背景の技術】
従来から外壁の上部にパラペットが設けられた、軒を有しない住宅が構築されていること周知である。このような住宅の構造として、例えば、北海道といった寒冷地などでみられるような、屋根を住宅の両側の外壁から中央部に下降傾斜させ、この屋根が突き当たった谷部に横樋が設けられた無落雪屋根を有する住宅がある。
ところで、このような無落雪屋根を有する住宅における換気構造としては、例えば、特開平７−１８０３０９号の公報の図４に開示に開示のものがある。
【０００３】
特開平７−１８０３０９号の図４に開示の換気構造は、住宅の外壁の上に、住宅の中央部に下降傾斜する無落雪屋根を介して、中空のパラペットパネルが立設され、このパラペットパネルにおいて、上部の外面に屋外と連通するスリットが形成され、下部の内面には前記屋根の下部の屋根裏と、パラペットパネルの中空の内部と連通する連通穴が形成されている。前記屋根裏からパラペットパネルの下部の連通穴、中空の内部を経て、パラペットパネルの上部のスリットに至る経路が換気経路となっている。そして、この住宅の外壁とパラペットパネルの外側には、スリットを塞がないようにして、該スリットの下部から下に、胴縁を介して外装材が取り付けられている。
【０００４】
また、このパラペットパネルの上には、該パラペットパネルの上端から外側に突出した形状であり笠木となる結合部と、上端部が該結合部の前端面に取り付けられ、前下端部が自由な状態で前記スリットの前方を覆っている前板部と、この前板部と前記結合部の上に取り付けられた頭つなぎ部と、これらの露出面を覆っているカバー部とを有しているパラペットカバーが取り付けられている。
【０００５】
【発明が解決しようとする課題】
ところで、上記公報に開示の換気構造では、パラペットパネルの上に、大きな部材となる笠木を構成する結合部を、パラペットパネルの上端から外側に突出した形状に、つまり、パラペットパネルの上端から外側にオーバーハングした状態で取り付けなければならない。つまり、結合部のパラペットパネルへの取付の際、結合部のオーバーハングした部分の高さ位置が下がらないように上方に力を加えながら取り付けなければならず、若干の手間がかかる。
【０００６】
また、スリットの前方を覆っている前面板は、上述したオーバーハングの状態で取り付けられた結合部の前面部に、下端が自由な状態で取り付けなければならない。このため、前記結合部に前記前面板を取り付ける場合には、上端部を前記結合部の前面部に当接し、かつ下端部を治具や手などを使って自由な状態を保持しながら取り付けなければならない。つまり、高さ方向と、該前面板が取り付けられる結合部方向とに押さえて、前記前面板の前記結合部への取り付け位置を保持しながら取り付けなければならない。つまり、結合部の前面部側から前面板を斜め上の方向に押さえながら取り付けなければならず、その作業に若干手間がかかる。
【０００７】
本発明は、上記事情を鑑みてなされたもので、その目的は、屋根裏の換気を効率よく行え、容易に施工することができる屋根の換気構造を提供することにある。
【０００８】
【課題を解決するための手段】
以上の課題を解決すべく請求項１記載の発明は、例えば、図１に示すように、内部に中空部１１が形成された住宅の外壁１０の内面１２に、屋根２０の端部２１が取り付けられ、前記外壁１０の内面１２に、前記屋根２０の下側に位置する屋根裏３０と前記中空部１１とを連通させる連通孔１３が設けられ、前記外壁１０の外面１４にほぼ水平方向に延在し、かつ前記連通孔１３よりも高い位置で、前記中空部１１と連通して前記外壁１０の外部に開口するスリット１５が設けられ、前記外壁１０の外面１４に、該外壁１０の上下方向に沿って複数の胴縁４０，４０が互いに平行に所定間隔を空けて、前記スリット１５を塞がないように配設され、これら胴縁４０，４０の上端部４１，４１は前記スリット１５より高く配置されているとともに、これら胴縁４０，４０には、面材５１が、その上端部５１ｂを前記通気口１５の位置より高く、かつ前記胴縁４０，４０の上端部４１，４１の位置より低くして取り付けられており、前記面材５１にフード６０が、前記スリット１５の延在方向に沿って前記胴縁４０，４の上端部４１，４１と前記面材５１の上端部５１ｂとを覆うように設けられ、このフード６０は、下方に向かって漸次外側に突出してなり、下部に開口部６３が設けられており、
さらに、前記フード６０は、前記胴縁４０，４０間の開口を上方から覆うカバー部６１と、このカバー部６１に覆われ、前記カバー部６１に該カバー部６１の上下部６１ａ，６１ｂで固定されるブラケット６２と、このブラケット６２を左右両端部で固定して前記面材５１に取り付けるブラケット固定部材６４とを有するものである。
【０００９】
前記外壁１０は、該外壁１０の外面１４となる面に設けられたスリット１５と、内面となる面に設けられた連通孔１３とを連通させる中空部１１が内部に形成されているものであるならば、どの様に形成されていても良い。
また、前記屋根２０は、住宅の外壁の内面１２に、端部が取り付けられるものであるならば、どの様な形態の屋根でもよく、例えば、屋上にパラペットが設けられた屋根、例えば、パラペットを具備した陸屋根や無落雪屋根などが挙げられる。
【００１０】
前記面材５１の上端部５１ｂが、該面材５１が取り付けられている前記複数の胴縁４０，４０の上端部４１、４１より低いので、前記複数の胴縁４０，４０の間の空間は、上方に開口した状態となっている。よって、前記胴縁４０の上端部４１と前記面材５１の上端部５１ｂとの間の空間は、前記複数の胴縁４０，４０間の空間と連通している。前記胴縁４０，４０には、面材５１が、その上端部５１ｂを前記スリット１５の位置より高く、かつ前記胴縁４０，４０の上端部４１，４１の位置より低くして取り付けられているので、上記構成による換気経路におては、前記屋根裏３０と前記外壁１０と前記連通孔１３の上方に前記スリット１５が配置され、このスリット１５の上方に前記胴縁４０の上端部４１が配置されているといった位置関係となっており、前記屋根裏３０の空気は上方に流出するものとなっている。なお、胴縁に取り付けられる面材は、面状であり、その上端部が前記スリットの位置より高くなっているものであれば、どの様に構成されていても良い。例えば、図１において、胴縁に取り付けられる面材は、胴縁４０に取り付けられるサイディングとなる化粧材５０と、フード６０の取付下地材５１とを有している。
【００１１】
前記フード６０は、下方に向かって漸次外側に突出してなり、下部に開口部６３が設けられ、前記胴縁４０，４の上端部４１，４１と前記面材５１の上端部５１ｂとを覆うものであれば、どの様に形成されていてもよく、例えば、一面が開口し、この開口に隣接する面に開口部が設けられた箱型のものとし、前記開口部を下部にして、前記開口で前記胴縁および面材の上端部を覆うようにした形状のものなどが挙げられる。このように、下方に向かって漸次外側に突出してなるものであることから、この下方に向かって漸次外側に突出した部分の下端が水切り部となる。
【００１２】
請求項１記載の屋根の換気構造にあっては、前記屋根裏３０の空気が前記連通孔１３を通って外壁１０の中空部１１に流入し、この中空部１１を通ってスリット１５から前記複数の胴縁４０，４０間に流入し、これら複数の胴縁４０，４０間を上昇して、該胴縁４０，４０の上端部４１，４１と前記面材５１の上端部５１ｂとの間から前記フード６０内部を通って、該フード６０の下部に設けられた開口部６３から住宅の外部に流れることによって換気が行われるものである。
そして、前記外壁１０の外面１４に取り付けられた面材５１にフード６０が、前記スリット１５の延在方向に沿って前記胴縁４０，４０の上端部４１，４１と前記面材５１の上端部５１ｂとを覆うように設けられているので、外方から雨や雪などが胴縁４０，４０間から屋内に侵入することを防ぐことができるとともに、前記フード６０を前記外壁１０の外面１４に設けられた面材５１に設ける際、該フード６０を、取り付ける外面１４の方向に押さえるだけで取り付けることができる。
したがって、フード６０を前記面材５１に設ける際に、該フード６０が設けられる高さ位置を保持するために上方向に力を加えながら取り付け作業を行うことがなく容易に、フード６０の取り付け作業を行うことができる。
【００１３】
また、前記屋根裏３０の空気が、前記スリット１５の外側の前記胴縁４０，４０の間で、該胴縁４０，４０間を上方向に流れる空気と合流して加速して上方に流れ、該胴縁４０，４０の上端部４１，４１と前記面材５１の上端部５１ｂとの間から住宅の外部に流出することになり、屋内外を結ぶ換気経路の通気量を十分に確保することができ、屋根裏（屋内）の換気を効率よく行うことができる。
【００１４】
加えて、このスリット１５の延在方向に沿って、前記面材５１に前記フード６０が設けられているので、前記スリット１５から、前記面材５１と前記外面１４との間の前記複数の胴縁４０，４０間に流出される前記屋根裏３０からの空気量が増加し、屋内外を結ぶ換気経路の通気量を増加することができる。
【００１５】
なお、水平方向に延在するスリット１５に沿って設けられるフード６０の下面に、軒天材を取り付けることにより軒天井を形成すれば、この軒天井によって、下部に設けられた開口部６３を隠すようにすれば、下方からの見栄えがよいものとなる。
【００１６】
請求項２記載の発明は、請求項１記載の屋根の換気構造において、例えば、図１に示すように、前記連通孔１３は、前記外壁１０の内面１２において前記屋根２０が取り付けられている位置の直下に設けられているものである。
【００１７】
請求項２記載の屋根の換気構造にあっては、請求項１記載の発明と同様の効果を得ることができるとともに、前記外壁１０の内面１２において、住宅の外部と連通している連通孔１３が屋根２０が取り付けられている位置の直下に設けられているので、前記外壁１０の内面１２に設けられた前記連通孔１３と、前記外壁１０の外面１４に設けられた前記前記スリット１５との間の距離が短くなる。すなわち、屋内外を結ぶ換気経路の長さが短くなり、該換気経路の通気性の向上を図ることができる。
【００１８】
請求項３記載の発明は、請求項１または２に記載の屋根の換気構造において、例えば、図１に示すように、前記外壁１０および屋根２０のうち少なくとも一方がパネルで構成されてなるものである。
【００１９】
ここで、パネルは、どの様に構成されていても良いが、外壁となるパネルには、内部に中空部が形成され、この中空部と連通するスリットおよび連通孔が設けられるものである。例えば、パネルを、桟材を矩形枠状に組んでなる枠体の表裏両面のうち少なくとも表面に合板等の面材を貼設し、前記枠体内には必要に応じて補助桟材が縦横に組み付けられているように構成したものが挙げられる。
上記構成のパネルを外壁として用いる際には、桟材の枠体の表裏両面に面材が貼着されたものを用いると好適である。
【００２０】
請求項３記載の屋根の換気構造にあっては、請求項１または２に記載の発明と同様の効果を得ることができるとともに、前記外壁１０および屋根２０のうち少なくとも一方がパネルで構成されているので、パネルで構成された外壁１０や屋根２０の建築現場での施工を省力化することができる。
特に、外壁をパネルで構成した場合、前記スリット１５や前記連通孔１３を予め穿設しておくことで、現場での穿孔作業を省略することができる。
【００２１】
【発明の実施の形態】
以下に、本発明に係る屋根の換気構造の実施の形態例を図１から図４に基づいて説明する。
先ず、図１は本発明の一例としての屋根の換気構造を適用した住宅のパラペット付近の縦断面図である。図２は図１において、屋根を省略した外壁の内面側からの斜視図、図３は胴縁が取付られた外壁の斜視図、図４はフードが胴縁を介して外壁に取り付けられた状態を説明する外壁の斜視図である。なお、本実施の形態を適用した住宅は、両側の外壁から住宅中央部に下降傾斜している無落雪屋根を有するものである。
【００２２】
この住宅の屋根の換気構造１は、連通孔１３及びスリット１５とを有する外壁１０と、該外壁１０に取り付けられた屋根２０と、該外壁に取り付けられる胴縁４０と、該胴縁４０を介して外壁に設けられたサイディングである化粧材（面材）５０と、取付下地材（面材）５１を介して外壁１０に固定されたフード６０とから概略構成されている。
【００２３】
前記外壁１０は、桟材１０ａを矩形枠状に組んでなる枠体の表裏両面に合板等の面材を貼設して、内部に中空部１１が形成されている木質パネルのそれぞれの側端面どうしを複数接合してなるものであり、表裏面に貼設された面材がそれぞれ、外壁１０の内面１２、外面１４を構成している。この外壁１０の上端面には調整材１６，…が取り付けられており、該調整材１６の上面に笠木となる板材１７が取り付けられている。
【００２４】
この外壁１０の内面１２には、屋根２０の端部２１が取り付けられている。
屋根２０は、桟材を縦横に組み付けて形成した枠体の表面に面材が貼設されて木質パネル２２と、該木質パネル２２の上面に敷設された屋根下地材２３と、該屋根下地材の上面に敷設された屋根材２４とを有し、外壁１０の内面１２に調整材２５を介して、取り付けられている。図中、２２ａ，２２ｂは木質パネル２２の枠体を構成する桟材であり、２２ｃは桟材２２ａ，２２ｂからなる枠体に取り付けられた面材であり、２６は屋根２０の端部２１の下端を受ける屋根受け材である。なお、前記屋根下地材２３は、屋根材２４の下地となるもので、防水シートや防腐処理が施された合板などから構成されている。屋根材２４は、外気にされされるため、防水や防腐等の処理が施された外気に対する耐性を有する部材を用いる。例えば、鋼製の屋根材を使用する等である。
【００２５】
また、この屋根２０が取り付けられている外壁１０の内面１２には、屋根２０の下側に位置する屋根裏３０と外壁１０の内部の中空部１１とを連通させる連通孔１３，…が複数穿孔されている。
図２に示すように、この連通孔１３，…は、外壁１０の内面１２において、該内面１２に取り付けられた屋根受け材２６の直下に、ほぼ水平方向に延在するように複数形成されている。
【００２６】
また、外壁１０の外面１４には、屋根２０が取り付けられている高さ位置とほぼ同じ位置で、スリット１５が形成されている。
このスリット１５は、中空部１１と連通して住宅外部に開口したものであり、図３に示すように、外壁１０の外面１４に、ほぼ水平方向に延在するものである。
図１に示すように、このようにスリット１５が形成されている外壁１０の外面１４には、外壁１０の上下方向に沿って、上端部４１，…が、スリット１５より高い位置に配置された複数の胴縁４０，…が設けられている。この実施の形態においては、外壁１０の外面１４に、胴縁４０が、該胴縁４０の上端と該外壁１０の上端とが同じ高さとなるように取り付けられている。
【００２７】
前記胴縁４０，…は、図３に示すように、複数上下方向に沿って互いに平行に所定間隔を空けて、スリット１５を塞がないように配設されている。
そして、図１に示すように、これら胴縁４０，…には、サイディングである化粧材（面材）５０と、該化粧材５０の上方に取り付けられたフード６０が取り付けられている取付下地材５１が設けられている。つまり、これら取付下地材５１および化粧材５０によって、外壁１０の外面１４は覆われた状態となっており、複数配設されている胴縁４０，…間のそれぞれには、上下方向に延在する空間がそれぞれ設けられた状態となっている。
【００２８】
取付下地材５１は、外壁１０の外面１４に水平方向に延在しているものであり、その下端部５１ａは化粧材５０の上端部５０ａに接合され、また、その上端部５１ｂはスリット１５の位置より高くなるように取り付けられている。
このように取付下地材５１の下端部５１ａは、胴縁４０，…の上端部４１，…より低くなっているため、胴縁４０，４０間の空間は、上方に開口５５を有するものとなっている。これら胴縁間の開口５５は、前記胴縁４０，４０の上端部４１，４１と前記面材５１の上端部５１ｂとを覆うように設けられているフード６０によって覆われた状態となっている。
【００２９】
図１および図４に示すように、フード６０は、外壁１０に該外壁１０のほぼ水平方向に形成されている胴縁間の開口５５を上方から覆うように取り付けられているものであり、下部に胴縁間の開口５５と連通している開口部６３を具備している。このフード６０は、胴縁４０，４０間の開口５５を上方から覆うカバー部６１と、このカバー部６１に覆われ、前記カバー部６１に該カバー部６１の上下部６１ａ，６１ｂで固定されるブラケット６２と、このブラケット６２を左右両端部で固定して取付下地材５１に取り付けるブラケット固定部材６４とを有する。カバー部６１はブラケット６２を外方から覆うように取り付けられており、フード６０内部に、スリット１５とフード６０の下部に設けられている開口部６３とを連通する経路が形成されている。
【００３０】
このフード６０は、外壁１０に釘、ビスなどの固定部材５６によって取付下地材５１を介して外壁１０に設けられ、胴縁４０，４０間の開口５５を上方から覆うように取り付けられているので、外部から胴縁４０，４０間の開口５５への雨や雪の侵入を防ぐことができる。なお、この固定部材５６は外壁１０を構成しているパネルの縦の桟材に打ち込まれることが好ましい。固定部材５６を桟材に打ち込んで、フード６０を外壁１０に固定するようにすれば、より強固にフード６０を取付下地材５１および外壁１０に固定することができる。なお、この図４では胴縁４０に取り付けられる化粧材５０は省略している。
【００３１】
このように形成された屋根の換気構造１の換気経路は図１に示す矢印のようになっている。つまり、屋内から屋外への空気の流れは、屋根裏３０から連通孔１３を介して外壁１０の中空部１１に入り、該中空部１１からスリット１５を経て外壁１０に上下方向に延在する胴縁４０，…どうしの間の空間を通って、上方の開口５５からフード６０内部に入り、フード６０の下部の開口部６３から住宅外部に開放されている。
【００３２】
このときスリット１５から出た空気は、面材５０の裏面の胴縁４０間で生じている上方向の空気の流れに乗って、上方に加速して流れて開口５５から外部に開放される。よって、換気経路の空気の流れが円滑になり、屋根裏３０から住宅の外部への通気性を向上することができ、該換気経路の通気量を十分に確保することができる。
【００３３】
上記のように構成された実施の形態における屋根の換気構造によれば、外壁１０の外面１４にフード６０が、スリット１５の延在方向に沿って胴縁４０，４０の上端部４１，４１と面材５１の上端部５１ｂとを覆うように設けられているので、フード６０を外壁１０の外面１４に取り付けられた取付下地材５１に取り付ける際、フード６０を、取り付ける外面１４の方向に押さえるだけで取り付けることができる。
したがって、フード６０を外壁１０の外面１４に設けられた取付下地材５１に取り付ける際に、該フード６０が設けられる高さ位置を保持するために上方向に力を加えながら取り付け作業を行うことがなく容易に、フード６０の取り付け作業を行うことができる。
【００３４】
なお、以上の実施の形態例における屋根の換気構造を適用した住宅は、無落雪屋根を有する住宅としたが、本発明はこれに限定されるものではなく、陸屋根など外壁の上部にパラペットを有する住宅に適用してもよい。
また、上記実施の形態の住宅は外壁および屋根をパネルによって構成するものとしたがこれに限らず、外壁は内部に中空部が形成され、スリットおよび連通孔を有するものであるならば、どのように構成されたものでもよい。フード等も上述した機能を有するものであるならばどのような形状で構成されてもよい。
【００３５】
【発明の効果】
以上のように、請求項１記載の発明に係る屋根の換気構造によれば、前記外壁の外面にフードが、前記スリットの延在方向に沿って前記胴縁の上端部と前記面材の上端部とを覆うように設けられているので、外方から雨や雪などが前記胴縁の上端部と前記面材の上端部との間を通って前記胴縁間から屋内に侵入することを防ぐことができるとともに、前記フードを、前記面材に設ける際、該面材が設けられている外面方向に押さえるだけで取り付けることができ、フードを外壁の外面に設ける際に、該フードが設けられる高さ位置を保持するために上方向に力を加えながら取り付け作業を行うことがなく容易に、フードの取り付け作業を行うことができる。
【００３６】
また、前記スリットから流出した屋根裏の空気は、前記スリットの外側の前記胴縁の間で、該胴縁間を上方向に流れる空気と合流して加速して上方に流れ、該胴縁の上端部と前記面材の上端部との間から住宅の外部に流出されるので、屋内外を結ぶ換気経路の通気量を十分に確保することができる。
【００３７】
さらに、前記外壁の外面に形成されたほぼ水平方向に延在するスリットの延在方向に沿って、前記面材に前記フードが設けられているので、前記スリットから前記面材と前記外面との間における前記複数の胴縁間に流出される前記屋根裏からの空気量が増加し、屋内外を結ぶ換気経路の通気量を増加することができる。
【００３８】
請求項２記載の発明に係る屋根の換気構造よれば、請求項１記載の発明と同様の効果を得ることができるとともに、前記外壁の内面において、住宅の外部と連通している連通孔は屋根の直下に設けられているので、前記外壁の内面に設けられた前記連通孔と、前記外壁の外面に設けられた前記前記スリットとの間の距離が短くなり、つまり、屋内外を結ぶ換気経路の長さが短くなり、該換気経路の通気性の向上を図ることができる。
【００３９】
請求項３記載の発明に係る屋根の換気構造によれば、請求項１または２に記載の発明と同様の効果を得ることができるとともに、前記外壁および屋根のうち少なくとも一方がパネルで構成されているので、パネルで構成された外壁や屋根の建築現場での施工を省力化することができる。
特に、外壁をパネルで構成した場合、前記スリットや前記連通孔を予め穿設しておくことで、現場での穿孔作業を省略することができる。
【図面の簡単な説明】
【図１】本発明の一例としての屋根の換気構造を適用した無落雪屋根を有する住宅の外壁の上端部付近の縦断面図である。
【図２】図１において、屋根を省略した外壁の内面側からの斜視図である。
【図３】胴縁が取付られた外壁の斜視図である。
【図４】フードが胴縁を介して外壁に取り付けられた状態を説明する外壁の斜視図である。
【符号の説明】
１    屋根の換気構造
１０    外壁
１１    中空部
１２    内面
１３    連通孔
１４    外面
１５    スリット
２０    屋根
２１    屋根の端部
２２ａ  桟材
２２    木質パネル
２３    屋根下地材
３０    屋根裏
４０    胴縁
４１    胴縁の上端部
５０    化粧材（面材）
５０ａ  化粧材の上端部
５１    取付下地材（面材）
５１ａ  取付下地材の下端部
５１ｂ  取付下地材の上端部
５５    開口
５６    固定部材
６０    フード
６１    カバー部
６２    ブラケット
６３    開口部
６４    ブラケット固定部材
【図１】
0004012305.tif 000002
【図２】
0004012305.tif 000003
【図３】
0004012305.tif 000004
【図４】
0004012305.tif 000005